(57)【要約】【課題】バルブ装置の開閉弁の開閉状態を外方から容易に視認でき、弁棒をレンチにて外部操作する際、不用意に開閉弁が開弁されたり、開閉弁が過度に締め付けられることによりバルブ装置が破損することを抑制する。【解決手段】バルブ装置１６のバルブ本体１０に取り付けられる台座２０と、台座２０上部に設けられた複数の自転歯車３０と、回転体側歯車４０Ｇを有する回転体４０と、開閉弁１８の開閉状態を表示する表示部５２を有し、回転中心ＣＬを中心に回転する表示体側歯車５０Ｇをもった回転表示体５０とを備え、自転歯車３０と回転体側歯車４０Ｇと表示体側歯車５０Ｇとで回転表示体５０の差動回転機構を構成し、回転表示体５０に被せられ、開口部以外の外部からの視認を規制する視認規制体６０と、視認規制体６０の外側全体を回転自在に覆い視認規制体６０の開口部を外側から視認できる透過カバー６０とを設けたことを特徴とする。【選択図】図２
2020046007.tif 000002
【特許請求の範囲】
【請求項１】
バルブ装置の開閉弁における弁棒がレンチにて外部操作されるレンチ式開閉バルブ装置用の開閉表示機器であって、
前記バルブ装置のバルブ本体に取り付けられる台座と、
該台座の上部に設けられた複数の自転歯車と、
前記台座の上部外周に設けられ、前記自転歯車に噛合する回転体側歯車を有する回転体と、
前記バルブ装置の開閉弁の開弁状態と閉弁状態との一方を表示する表示部を有するとともに、前記弁棒の回転中心を中心として回転する表示体側歯車を有する回転表示体とが備えられ、
前記表示体側歯車は前記回転体側歯車の歯数と異なる歯数で構成され、
前記自転歯車と噛合する前記回転体側歯車と、前記自転歯車と噛合する前記表示体側歯車と、前記自転歯車とで、前記回転体に対して前記回転表示体を差動回転させる差動回転機構が構成され、
前記回転体と一体回転し、かつ前記表示体の所要部分を外部から目視可能に開口する開口部を有すると共に、前記回転表示体に被せられ、前記所要部分以外の部分の外部からの視認を規制する視認規制体と、
前記視認規制体の外側全体を回転自在に覆うとともに、少なくとも当該視認規制体の前記開口部を外側から視認可能に透過する透過カバー体とが設けられ、
前記視認規制体の中央部には、前記弁棒と嵌合し、当該弁棒が上方に貫通可能な孔部が開口形成された
レンチ式開閉バルブ装置用の開閉表示機器。
【請求項２】
前記表示部は、
外周側が低く、内周側が高くなるテーパ状に形成された
請求項１に記載のレンチ式開閉バルブ装置用の開閉表示機器。
【請求項３】
前記表示部が、
前記レンチ式開閉バルブ装置が取付けられたボンベ容器におけるボンベキャップの上部開口より上方に突出する
請求項２に記載のレンチ式開閉バルブ装置用の開閉表示機器。
【請求項４】
前記台座に、前記バルブ本体に対して係止して、前記台座を前記バルブ本体に固定する係止部が設けられた
請求項１乃至３のうちいずれかに記載のレンチ式開閉バルブ装置用の開閉表示機器。
【請求項５】
バルブ本体内部に開閉弁が配置されるとともに、前記開閉弁の開閉を外部操作する弁棒が備えられ、前記弁棒がレンチにて外部操作されるレンチ式開閉バルブ装置であって、
前記開閉弁の開弁状態と閉弁状態との一方を表示する開閉表示機器が備えられ、
該開閉表示機器は、
前記バルブ装置のバルブ本体に取り付けられる台座と、
該台座の上部に設けられた複数の自転歯車と、
前記台座の上部外周に設けられ、前記自転歯車に噛合する回転体側歯車を有する回転体と、
前記バルブ装置の開閉弁の開弁状態と閉弁状態との一方を表示する表示部を有するとともに、前記弁棒の回転中心を中心として回転する表示体側歯車を有する回転表示体とが備えられ、
前記表示体側歯車は前記回転体側歯車の歯数と異なる歯数で構成され、
前記自転歯車と噛合する前記回転体側歯車と、前記自転歯車と噛合する前記表示体側歯車と、前記自転歯車とで、前記回転体に対して前記回転表示体を差動回転させる差動回転機構が構成され、
前記回転体と一体回転し、かつ前記表示体の所要部分を外部から目視可能に開口する開口部を有すると共に、前記回転表示体に被せられ、前記所要部分以外の部分の外部からの視認を規制する視認規制体と、
前記視認規制体の外側全体を回転自在に覆うとともに、少なくとも当該視認規制体の前記開口部を外側から視認可能に透過する透過カバー体とが設けられ、
前記視認規制体の中央部には、前記弁棒と嵌合し、当該弁棒が上方に貫通可能な孔部が開口形成された
レンチ式開閉バルブ装置。
【請求項６】
請求項５に記載のレンチ式開閉バルブ装置がボンベ容器の上端部に取付けられ、前記ボンベ容器は、上端が開口するボンベキャップを上部に有し、
少なくとも前記透過カバー体及び前記視認規制体は、前記ボンベキャップの前記上部開口より小径に形成された
バルブ付きボンベ容器。
【請求項７】
前記表示部は、
外周側が低く、内周側が高くなるテーパ状に形成された
請求項６に記載のバルブ付きボンベ容器。
【請求項８】
前記回転表示体における前記表示部の外周端が、前記ボンベキャップの前記上部開口より上方に突出する
請求項７に記載のバルブ付きボンベ容器。
【発明の詳細な説明】
【技術分野】
【０００１】
本発明は、例えば、ガスボンベのようなガス貯蔵容器（ボンベ容器）やガス配管に取付けられた開閉バルブ装置の弁棒がレンチにて外部操作されるレンチ式開閉バルブ装置用の開閉表示機器、レンチ式開閉バルブ装置およびバルブ付きボンベ容器に関する。
【背景技術】
【０００２】
一般に、開閉バルブ装置としては、当該バルブ装置の弁棒を回転操作するハンドルを、弁棒に一体的に組付けて、ハンドルを回転操作することで開閉弁を上下移動させて開閉し、気体や液体等の流動体の出し入れを規制するハンドル式開閉バルブ装置と、前記ハンドルに代えて開閉バルブ装置とは別体のレンチにより弁棒を回転操作することで、開閉弁を上下移動させて開閉し、流動体の出し入れを規制するレンチ式開閉バルブ装置との大別して２種類の開閉バルブ装置がある。
【０００３】
前記レンチ式開閉バルブ装置には、その開閉弁の開弁状態や閉弁状態を表示する開閉表示機構が存在しておらず、外方から目視しても、開閉弁の開閉状態が確認できなかった。
このため、開閉弁が閉弁状態であるにもかかわらず、レンチにより弁棒を過度に締め付ける問題点や、開閉弁が不用意に開弁されるという問題点があった。
一方で、特許文献１に開示されているように、ハンドル式開閉バルブ装置には、開閉弁の開閉状態を表示する機構が備えられたものがある。
【０００４】
この開閉表示機構をハンドル式開閉バルブ装置に取付けたものをボンベ容器に採用した場合、次のような問題点があった。
【０００５】
なお、バルブ部装置が取付けられたボンベ容器は重量物であるため、当該ボンベ容器を移動させる際には、ボンベ容器を持ち上げることなく、ボンベ容器を斜めにし、容器底部を地面または床面に当接させ、ボンベ容器の上部に設けたボンベキャップを作業者が一方の手で支持し、他方の手でボンベ容器を回転させることで、当該ボンベ容器を移動させることがある。
【０００６】
例えば、ボンベ容器に取付けたレンチ式開閉バルブ装置に、ハンドル式開閉バルブ装置に備えられた開閉弁の開閉状態を表示する機構を装着したボンベ容器を上述のように回転させて移動させると、開閉弁の開閉状態を表示する機構は弁棒に嵌合している開係上、不用意に開閉弁が開弁されたり、または閉弁状態にある開閉弁が過度に締め付けられてレンチ式開閉バルブ装置が破損するという問題点があった。
【先行技術文献】
【特許文献】
【０００７】
【特許文献１】特開２０１１−１３３０４３号公報
【発明の概要】
【発明が解決しようとする課題】
【０００８】
そこで、本発明は、レンチ式開閉バルブ装置の開閉弁の開閉状態を外方から容易に視認できるレンチ式開閉バルブ装置用の開閉表示機器、レンチ式開閉バルブ装置およびバルブ付きボンベ容器の提供を目的とする。
【課題を解決するための手段】
【０００９】
この発明によるレンチ式開閉バルブ装置用の開閉表示機器は、バルブ装置の開閉弁における弁棒がレンチにて外部操作されるレンチ式開閉バルブ装置用の開閉表示機器であって、前記バルブ装置のバルブ本体に取り付けられる台座と、該台座の上部に設けられた複数の自転歯車と、前記台座の上部外周に設けられ、前記自転歯車に噛合する回転体側歯車を有する回転体と、前記バルブ装置の開閉弁の開弁状態と閉弁状態との一方を表示する表示部を有するとともに、前記弁棒の回転中心を中心として回転する表示体側歯車を有する回転表示体とが備えられ、前記表示体側歯車は前記回転体側歯車の歯数と異なる歯数で構成され、前記自転歯車と噛合する前記回転体側歯車と、前記自転歯車と噛合する前記表示体側歯車と、前記自転歯車とで、前記回転体に対して前記回転表示体を差動回転させる差動回転機構が構成され、前記回転体と一体回転し、かつ前記回転表示体の所要部分を外部から目視可能に開口する開口部を有すると共に、前記回転表示体に被せられ、前記所要部分以外の部分の外部からの視認を規制する視認規制体と、前記視認規制体の外側全体を回転自在に覆うとともに、少なくとも当該視認規制体の前記開口部を外側から視認可能に透過する透過カバー体とが設けられ、前記視認規制体の中央部には、前記弁棒と嵌合し、当該弁棒が上方に貫通可能な孔部が開口形成されたものである。
【００１０】
この発明により、視認規制体の外周全体を回転自在に覆う透過カバー体を設けたので、バルブ装置の開閉弁の開弁、閉弁状態が外方から視認できると共に、前記弁棒をレンチにて外部操作する際、前記開閉弁の開弁、閉弁状態の目視確認することができる。したがって、不用意に開閉弁が開弁されたり、開閉弁が過度に締め付けられることに起因してレンチ式開閉バルブ装置が破損することを抑制することができる。
【００１１】
この発明の態様として、前記表示部は、外周側が低く、内周側が高くなるテーパ状に形成されたものである。  
この発明により、表示部がテーパ状に形成されているので、透過カバー体および視認規制体の開口部を介して回転表示体の表示部を目視確認する際、真上のみならず側方や斜め上方からも確認することができ、視認性の向上を図ることができる。
【００１２】
この発明の態様として、前記表示部が、前記レンチ式開閉バルブ装置が取付けられたボンベ容器におけるボンベキャップの上部開口より上方に突出するものである。  
この発明により、前記表示部がボンベキャップの上部開口により上方に突出しており、当該表示部は外周側が低く、内周側が高くなるテーパ状であるから、表示部による表示内容（開閉弁の開弁、閉弁状態）を、上方および側方の双方から目視確認することができる。
【００１３】
この発明の態様として、前記台座に、前記バルブ本体に対して係止して、前記台座を前記バルブ本体に固定する係止部が設けられたものである。  
この発明により、台座の係止部がバルブ本体に係止されるので、当該台座の抜け止めを図ることができる。したがって、開閉表示機器を容易且つ確実にバルブ本体に固定することができる。
【００１４】
また、この発明によるレンチ式開閉バルブ装置は、バルブ本体内部に開閉弁が配置されるとともに、前記開閉弁の開閉を外部操作する弁棒が備えられ、前記弁棒がレンチにて外部操作されるレンチ式開閉バルブ装置であって、前記開閉弁の開弁状態と閉弁状態との一方を表示する開閉表示機器が備えられ、該開閉表示機器は、前記バルブ装置のバルブ本体に取り付けられる台座と、該台座の上部に設けられた複数の自転歯車と、前記台座の上部外周に設けられ、前記自転歯車に噛合する回転体側歯車を有する回転体と、前記バルブ装置の開閉弁の開弁状態と閉弁状態との一方を表示する表示部を有するとともに、前記弁棒の回転中心を中心として回転する表示体側歯車を有する回転表示体とが備えられ、前記表示体側歯車は前記回転体側歯車の歯数と異なる歯数で構成され、前記自転歯車と噛合する前記回転体側歯車と、前記自転歯車と噛合する前記表示体側歯車と、前記自転歯車とで、前記回転体に対して前記回転表示体を差動回転させる差動回転機構が構成され、前記回転体と一体回転し、かつ前記回転表示体の所要部分を外部から目視可能に開口する開口部を有すると共に、前記回転表示体に被せられ、前記所要部分以外の部分の外部からの視認を規制する視認規制体と、前記視認規制体の外側全体を回転自在に覆うとともに、少なくとも当該視認規制体の前記開口部を外側から視認可能に透過する透過カバー体とが設けられ、前記視認規制体の中央部には、前記弁棒と嵌合し、当該弁棒が上方に貫通可能な孔部が開口形成されたものである。
【００１５】
この発明により、レンチ式開閉バルブ装置に前記開閉表示機器が設けられたものであって、視認規制体の外周全体を回転自在に覆う透過カバー体を設けることで、バルブ装置の開閉弁の開弁、閉弁状態が外方から視認できると共に、前記弁棒をレンチにて外部操作する際、前記開閉弁の開弁、閉弁状態の目視確認することができる。したがって、不用意に開閉弁が開弁されることを抑制することができ、また、開閉弁が過度に締め付けられることに起因してレンチ式開閉バルブ装置が破損することを抑制することができる。
【００１６】
さらに、この発明によるバルブ付きボンベ容器は、前記レンチ式開閉バルブ装置がボンベ容器の上端部に取付けられ、前記ボンベ容器は、上端が開口するボンベキャップを上部に有し、少なくとも前記透過カバー体及び前記視認規制体は、前記ボンベキャップの前記上部開口より小径に形成されたものである。
【００１７】
この発明により、ボンベキャップの上部開口よりも透過カバー体および視認規制体を小径と成したので、これら透過カバー体、視認規制体をボンベキャップ内に確実に格納することができ、ボンベ容器におけるバルブ装置の開閉弁の開弁、閉弁状態を外方から容易に視認することができる。
【００１８】
しかも、上端部にバルブ装置および開閉表示機器が取付けられた重量物であるボンベ容器を、斜めにし、容器底部を地面または床面に当接させ、作業者が一方の手で開閉表示機器の外周を支持し、他方の手でボンベ容器を回転させて、当該ボンベ容器を移動させる際、開閉表示機器の透過カバー体が回転自在に構成されているので、不用意に開閉弁が開弁されたり、開閉弁が過度に締め付けられることに起因して、レンチ式開閉バルブ装置が破損することを抑制することができる。
【００１９】
この発明の態様として、前記表示部は、外周側が低く、内周側が高くなるテーパ状に形成されたものである。  
この発明により、表示部がテーパ状に形成されているので、ボンベ容器におけるバルブ装置の開閉弁の開弁、閉弁状態を外方から視認する際、真上のみならず、斜め上方からも目視確認することができ、視認性の向上を図ることができる。
【００２０】
この発明の態様として、前記回転表示体における前記表示部の外周端が、前記ボンベキャップの前記上部開口より上方に突出するものである。  
この発明により、前記表示部がボンベキャップの上部開口より上方に突出しており、当該表示部は外周側が低く、内周側が高くなるテーパ状であるから、表示部による表示内容（開閉弁の開弁、閉弁状態）を、上方および側方の双方から目視確認することができる。
【発明の効果】
【００２１】
本発明によれば、レンチ式開閉バルブ装置の開閉弁の開閉状態を外方から容易に視認でき、弁棒をレンチにて外部操作する際、不用意に開閉弁が開弁されたり、開閉弁が過度に締め付けられることによりレンチ式開閉バルブ装置が破損することを抑制することができる効果がある。
【図面の簡単な説明】
【００２２】
【図１】本発明のレンチ式開閉バルブ装置およびその開閉表示機器を備えたバルブ付きボンベ容器を示す説明図
【図２】図１の要部拡大断面図
【図３】レンチ式開閉バルブ装置用の開閉表示機器を示す分解図
【図４】自転歯車を備えた台座の底面図
【図５】透過カバー体を取外した状態で示す視認規制体および回転表示体の平面図
【図６】バルブ付きボンベ容器の他の実施例を示す要部拡大断面図
【発明を実施するための形態】
【００２３】
バルブ装置の開閉弁の開閉状態を外方から容易に視認でき、弁棒をレンチにて外部操作する際、不用意に開閉弁が開弁されたり、開閉弁が過度に締め付けられることによりレンチ式開閉バルブ装置が破損することを抑制するという目的を、バルブ装置の開閉弁における弁棒がレンチにて外部操作されるレンチ式開閉バルブ装置用の開閉表示機器であって、前記バルブ装置のバルブ本体に取り付けられる台座と、該台座の上部に設けられた複数の自転歯車と、前記台座の上部外周に設けられ、前記自転歯車に噛合する回転体側歯車を有する回転体と、前記バルブ装置の開閉弁の開弁状態と閉弁状態との一方を表示する表示部を有するとともに、前記弁棒の回転中心を中心として回転する表示体側歯車を有する回転表示体とが備えられ、前記表示体側歯車は前記回転体側歯車の歯数と異なる歯数で構成され、前記自転歯車と噛合する前記回転体側歯車と、前記自転歯車と噛合する前記表示体側歯車と、前記自転歯車とで、前記回転体に対して前記回転表示体を差動回転させる差動回転機構が構成され、前記回転体と一体回転し、かつ前記回転表示体の所要部分を外部から目視可能に開口する開口部を有すると共に、前記回転表示体に被せられ、前記所要部分以外の部分の外部からの視認を規制する視認規制体と、前記視認規制体の外側全体を回転自在に覆うとともに、少なくとも当該視認規制体の前記開口部を外側から視認可能に透過する透過カバー体とが設けられ、前記視認規制体の中央部には、前記弁棒と嵌合し、当該弁棒が上方に貫通可能な孔部が開口形成されるという構成にて実現した。
【００２４】
この発明の一実施例を以下図面に基づいて詳述する。  
図面はレンチ式開閉バルブ装置用の開閉表示機器、レンチ式開閉バルブ装置およびバルブ付きボンベ容器を示し、図１は本発明のレンチ式開閉バルブ装置およびその開閉表示機器を備えたバルブ付きボンベ容器を示す説明図、図２は図１の要部拡大断面図、図３はレンチ式開閉バルブ装置用の開閉表示機器を示す分解図、図４は自転歯車を備えた台座の底面図、図５は透過カバー体を取外した状態で示す視認規制体および回転表示体の平面図である。なお、図１は開閉表示機器を備えたバルブ付きボンベ容器の上部のみを図示している。
【００２５】
図１に示すように、ボンベ容器１の上端にはネック部２を一体形成し、該ネック部２の外周に形成した雄ネジ部３には、上端が開口したボンベキャップ４を取付けている。  
前記ネック部２の中央には、後述する弁棒（スピンドル１１参照）がレンチ５（詳しくは、角筒形状の孔部を有するソケットレンチ）にて外部操作されるレンチ式開閉バルブ装置６が取付けられている。この実施例では、開閉バルブ装置６として容器バルブ装置（以下、単にバルブ装置６と略記する）を採用している。
【００２６】
前記バルブ装置６の上部には、その全体形状をボンベキャップ４における上端開口４ａよりも小径に成した開閉表示機器７が設けられている。  
なお、バルブ装置６を容器の開閉に代えて、ガス配管等の流体配管に採用する場合には、配管バルブ装置とすることができる。
【００２７】
前記バルブ装置６は、図２に拡大断面図で示すように、バルブハウジング８と、該バルブハウジング８の上端孔部８ａ（詳しくは、ネジ孔）に螺合固定したグランドナット９と、から成るバルブ本体１０を備えている。
【００２８】
前記グランドナット９の軸芯部およびバルブハウジング８の中央部には上下方向に延びる弁棒としてのスピンドル１１を装着するため、孔部９ａ，８ｂが上下方向に連通されており、これらの孔部９ａ，８ｂ内にはスピンドル１１が装着されている。また、スピンドル１１の軸部１１ｂ外周とグランドナット９の孔部９ａとの間には，０リング等のシール部材９ｄが介設されている。
【００２９】
図２に示すように、前記スピンドル１１は、上部角柱部１１ａ、軸部１１ｂ、フランジ部１１ｃ、下部角柱部１１ｄ、下端軸部１１ｅを、上部から下部にかけてこの順に一体形成したもので、スピンドル１１における下部角柱部１１ｄの外部には、スピンドル１１の回転によりバルブハウジング８の孔部８ｂ内を螺進上下動する中間伝導具１２が設けられており、該中間伝導具１２の下端部に凹設形成された嵌合凹部１２ａには、閉止部材１３が嵌合されている。  
該閉止部材１３は平面視円形の弾性部材であり、閉弁状態（図２に示す状態）で開口弁座８ｃが食い込み可能に構成している。
【００３０】
また、バルブハウジング８内には、前記孔部８ｂに対して開口弁座８ｃを介して上下方向に延びる一次側流路としての入口流路８ｄが形成されると共に、孔部８ｂの下部から入口流路８ｄと直交するよう二次側流路としての出口流路８ｅが形成されており、さらに、入口流路８ｄの上下方向中途部には分岐路８ｆが形成されていて、分岐路８ｆの外端部には、ガスケット１４を介して安全弁１５が螺合固定されている。
【００３１】
安全弁１５は、銅合金製の破裂板（図示せず）と、押圧用プラグ１６と、可溶栓１７とによって構成される。  
ここで、前記スピンドル１１と、中間伝導具１２と、閉止部材１３とで、入口流路８ｄと出口流路８ｅとの間の開口弁座８ｃを閉塞または開放する開閉弁１８が構成されている。すなわち、該開閉弁１８はバルブ本体１０内部に配置されると共に、開閉弁１８の開閉を外部操作するスピンドル１１が備えられ、該スピンドル１１がレンチ５にて外部操作されるものである。
【００３２】
図１に示すように、バルブハウジング８の下部には容器取付け部８ｇが一体形成されており、この容器取付け部８ｇがボンベ容器１のネック部２の中央に螺合固定され、容器取付け部８ｇを含んでバルブハウジング８内を上下方向に延びる入口流路８ｄがボンベ容器１内に連通されている。
【００３３】
図２、図３に示すように前記開閉表示機器７は、バルブ装置６のバルブ本体１０に取り付けられる台座２０と、台座２０の上部に設けられた複数の自転歯車としてのピニオンギヤ３０（遊星歯車機構のプラネタリギヤに相当する遊星歯車）と、台座２０の上部外周に設けられる回転体４０と、弁棒としてのスピンドル１１の回転中心ＣＬを中心として回転する回転表示体５０と、回転表示体５０に被せられて前記回転体４０と一体回転する視認規制体６０と、視認規制体６０の外側全体を回転自在に覆う透過カバー体としての透明カバー体７０と、を備えている。
【００３４】
図３、図４に示すように、前記台座２０は、リング部２１と、該リング部２１の外周における上下方向中間部に形成された環状凹溝２２と、環状凹溝２２の上部に形成された環状切欠き２３とを備えている。  
前記環状凹溝２２には透明カバー体７０の下端が回転自在に装着され、前記環状切欠き２３には前記回転体４０が配置される。
【００３５】
また、前記台座２０の上部のランド部２４には、ピニオン３１とピニオンギヤ軸３２とから成るピニオンギヤ３０のピニオンギヤ軸３２を配設する複数の孔部２５が開口形成されている。  
この実施例では、６０度の等間隔を隔てて合計６つの孔部２５が設けられており、そのうちの合計３つの孔部２５にピニオンギヤ軸３２の基部を配設し、ピニオンギヤ３０が１２０度の等間隔を隔てて配置されるよう構成している。
【００３６】
図３、図４に示すように、台座２０のランド部２４の中央は前記グランドナット９の頭部９ｂが配設可能に開口されて、嵌合孔２６が形成されており、ランド部２４から嵌合孔２６の内方へ突出する係止部としての係止爪２７が複数設けられている。この実施例では、円周上３０度の等間隔で合計１２個の係止爪２７が形成されているが、係止爪２７の形成数量はこれに限定されるものではない。
【００３７】
図２に示すように、グランドナット９は頭部９ｂと、該頭部９ｂよりも小径のネジ部９ｃとを有しており、前記台座２０の係止爪２７がグランドナット９の頭部９ｂの下面に係止して、台座２０をバルブ本体１０に固定し、台座２０の抜け止めを図るように構成している。
【００３８】
図２、図３に示すように、前記回転体４０は台座２０の上部外周における環状切欠き２３の上部に設けられ、ピニオンギヤ３０に噛合する回転体側歯車としてのインターナルギヤ４０Ｇを有している。このインターナルギヤ４０Ｇは回転体４０を構成するリング部４１の内周に一体形成された内歯である。  
前記リング部４１の外周には視認規制体６０の下端を取付ける環状切欠き４２が設けられている。
【００３９】
図２、図３に示すように、前記回転表示体５０は、リング部５１と、このリング部５１の内周に形成されてスピンドル１１の回転中心ＣＬを中心として回転する表示体側歯車としてのサンギヤ５０Ｇと、リング部５１の上部に一体形成され、バルブ装置６の開閉弁１８の開弁状態と閉弁状態との一方を表示する表示部５２と、を有している。  
前記サンギヤ５０Ｇはピニオンギヤ３０と噛合しており、該サンギヤ５０Ｇはインターナルギヤ４０Ｇの歯数と異なる歯数で構成されている。
【００４０】
自転歯車であるピニオンギヤ３０と噛合するインターナルギヤ４０Ｇと、ピニオンギヤ３０と噛合するサンギヤ５０Ｇと、ピニオンギヤ３０との三者で、回転体４０に対して回転表示体５０を差動回転させる差動回転機構８０が構成されている。
【００４１】
図２から明らかなように、弁棒としてのスピンドル１１の回転力は視認規制体６０から当該視認規制体６０と一体回転する回転体４０に伝達され、回転体４０のインターナルギヤ４０Ｇからピニオンギヤ３０に伝達された後に、該ピニオンギヤ３０からサンギヤ５０Ｇに伝達されて、回転表示体５０をスピンドル１１の回転方向と同方向に回転させる。  
この実施例では、インターナルギヤ４０Ｇの歯数に対してサンギヤ５０Ｇの歯数を多く設定し、回転体４０の回転に対して回転表示体５０が遅く回転する、つまり減速回転する減速機構を構成している。
【００４２】
図３に示すように、回転表示体５０の上部に一体形成された表示部５２は、その外周側が低く、内周側が高くなるテーパ状に形成されており、該表示部５２の表面を円周上約４５度に等分して、その区分された表面領域には、バルブ装置６の開閉弁１８の開閉状態を『開』の文字で表示する開表示部５２ａと、閉弁状態を『閉』の文字で表示する閉表示部５２ｂとに交互に区分している。
【００４３】
スピンドル１１の上部角柱部１１ａにレンチ５を装着して、該レンチ５にてスピンドル１１を締め付け方向に螺入回転すると、中間伝導具１２を下方に押付け、当該中間伝導具１２の嵌合凹部１２ａに嵌合した閉止部材１３により開口弁座８ｃが封止される。この状態を、閉弁状態（全閉状態）とする。
【００４４】
逆に、レンチ５にてスピンドル１１を緩み方向に回転させて、スピンドル１１を螺出すると、当該スピンドル１１を介して、中間伝導具１２が上方に移動し、開口弁座８ｃが開放され、入口流路８ｄと出口流路８ｅとが、開口弁座８ｃを介して連通する。この状態を開弁状態とする。  
前記回転表示体５０は、バルブ装置６の開閉弁１８の前記開弁状態と閉弁状態との一方を、その表示部５２にて表示するものである。
【００４５】
図２に示すように、前記視認規制体６０はボンベキャップ４の上端開口４ａよりも小径に形成されている。  
また、図３に示すように、該視認規制体６０は、その中央に位置して、スピンドル１１の上部角柱部１１ａと嵌合し、スピンドル１１が上方に貫通可能な孔部６１が開口形成された平面視円盤形状の中央部６２と、中央部６２の外周から立上がるリング部６３と、図３、図５に示すように、リング部６３の上端から径方向外方に延び、かつ、平面視で十文字状に形成された複数の上面部６４と、該上面部６４の外端から下方に延びて、その下端が回転体４０の環状切欠き４２に当接する複数の側面部６５と、隣接する前記上面部６４，６４間に開口形成された開口部６６とを備えている。
【００４６】
前記リング部６３の内周部は、図３に示すように、上部が大径で、下部が小径に設定されており、大径部と小径部との間には、透明カバー体７０を回転自在に配置する環状の段差部６７が形成されている。
【００４７】
また前記上面部６４は、回転表示体５０における表示部５２のテーパ形状と対応して、外周側が低く、内周側が高くなるテーパ状に形成されている。平面視で十文字状に配列された上面部６４の周方向の幅は、図５に示すように、回転表示体５０の表示部５２の複数の開表示部５２ａまたは複数の閉表示部５２ｂを同時に覆う幅に形成されており、同様に前記開口部６６の周方向の幅は表示部５２の複数の開表示部５２ａまたは複数の閉表示部５２ｄを同時に外部から目視可能に開口する周方向の幅に設定されている。
【００４８】
すなわち、前記視認規制体６０は、回転体４０と一体回転し、かつ、回転表示体５０の表示部５２における所要部分を外部から目視可能に開口する開口部６６を有すると共に、回転表示体５０に被せられ、所要部分以外の部分の外部からの視認を規制するものである。  
つまり、図５に示す上面部６４がブラインド（ｂｌｉｎｄ、目隠し）機能を有するように構成している。
【００４９】
図１〜図３に示すように、前記透明カバー体７０はボンベキャップ４の上端開口４ａよりも小径に形成されている。  
また、該透明カバー体７０は、スピンドル１１の上部角柱部１１ａに装着するレンチ５の操作が容易となるよう当該レンチ５のソケット部外周よりも大径のリング部７１と、このリング部７１の上端から径方向外方に延びる環状の上面部７２と、この上面部７２の外周から下方に延びる環状の側面部７３と、を透明部材にて一体形成したものである。
【００５０】
前記側面部７３の下端内周には、台座２０の環状凹溝２２に対して回転自在に装着される複数の内方突起７４が一体形成されている。また、上面部７２は回転表示体５０の表示部５２のテーパ形状、並びに、視認規制体６０の上面部６４のテーパ形状と対応すべく、外周側が低く、内周側が高くなるテーパ状に形成されている。
【００５１】
該透明カバー体７０は、リング部７１下端を視認規制体６０の段差部６７上面に上載した状態で、当該リング部７１の外周面を視認規制体６０のリング部６３に回転自在に配設すると共に、側面部７３下端の複数の内方突起７４を台座２０の環状凹溝２２に対して回転自在に装着し、内方突起７４により透明カバー体７０の抜け止めを図っている。  
すなわち、前記透明カバー体７０は、視認規制体６０の外側全体を回転自在に覆うとともに、少なくとも当該視認規制体６０の開口部６６を外側から視認可能に透過するカバー体である。
【００５２】
このように、透明カバー体７０の全体が透明であるため、視認規制体６０の開口部６６を介して回転表示体５０の表示部５２が外部から視認可能となり、開閉弁１８の開弁状態、閉弁状態、または、これら両状態の中間としての開閉度合いを外方から目視確認することができる。
【００５３】
以上詳述したように、上記実施例のレンチ式開閉バルブ装置用の開閉表示機器は、バルブ装置６の開閉弁１８における弁棒（スピンドル１１参照）がレンチ５にて外部操作されるレンチ式開閉バルブ装置用の開閉表示機器７であって、前記バルブ装置６のバルブ本体１０に取り付けられる台座２０と、該台座２０の上部に設けられた複数の自転歯車（ピニオンギヤ３０参照）と、前記台座２０の上部外周に設けられ、前記自転歯車（ピニオンギヤ３０）に噛合する回転体側歯車（インターナルギヤ４０Ｇ参照）を有する回転体４０と、前記バルブ装置６の開閉弁１８の開弁状態と閉弁状態との一方を表示する表示部５２を有するとともに、前記弁棒（スピンドル１１）の回転中心ＣＬを中心として回転する表示体側歯車（サンギヤ５０Ｇ参照）を有する回転表示体５０とが備えられ、前記表示体側歯車（サンギヤ５０Ｇ）は前記回転体側歯車（インターナルギヤ４０Ｇ）の歯数と異なる歯数で構成され、前記自転歯車（ピニオンギヤ３０）と噛合する前記回転体側歯車（インターナルギヤ４０Ｇ）と、前記自転歯車（ピニオンギヤ３０）と噛合する前記表示体側歯車（サンギヤ５０Ｇ）と、前記自転歯車（ピニオンギヤ３０）とで、前記回転体４０に対して前記回転表示体５０を差動回転させる差動回転機構８０が構成され、前記回転体４０と一体回転し、かつ前記回転表示体の所要部分を外部から目視可能に開口する開口部６６を有すると共に、前記回転表示体５０に被せられ、前記所要部分以外の部分の外部からの視認を規制する視認規制体６０と、前記視認規制体６０の外側全体を回転自在に覆うとともに、少なくとも当該視認規制体６０の前記開口部６６を外側から視認可能に透過する透過カバー体（透明カバー体７０参照）とが設けられ、前記視認規制体６０の中央部６２には、前記弁棒（スピンドル１１）と嵌合し、当該弁棒（スピンドル１１）が上方に貫通可能な孔部６１が開口形成されたものである（図１〜図５参照）ため、視認規制体６０の外周全体を回転自在に覆う透過カバー体（透明カバー体７０）を設けたので、バルブ装置６の開閉弁１８の開弁、閉弁状態が外方から視認できると共に、前記弁棒（スピンドル１１）をレンチ５にて外部操作する際、前記開閉弁１８の開弁、閉弁状態の目視確認することができる。したがって、不用意に開閉弁１８が開弁されたり、開閉弁１８が過度に締め付けられることに起因してバルブ装置６が破損することを抑制することができる。
【００５４】
また、前記表示部５２は、外周側が低く、内周側が高くなるテーパ状に形成されたものである（図２、図３参照）ため、表示部５２がテーパ状に形成されているので、透過カバー体（透明カバー体７０）および視認規制体６０の開口部６６を介して回転表示体５０の表示部５２を目視確認する際、真上のみならず側方や斜め上方からも確認することができ、視認性の向上を図ることができる。
【００５５】
さらに、前記台座２０に、前記バルブ本体１０に対して係止して、前記台座２０を前記バルブ本体１０に固定する係止部（係止爪２７参照）が設けられたものである（図２、図４参照）ため、台座２０の係止部（係止爪２７）がバルブ本体１０に係止されるので、当該台座２０の抜け止めを図ることができる。したがって、開閉表示機器を容易且つ確実にバルブ装置６に固定することができる。
【００５６】
また、上記実施例のレンチ式開閉バルブ装置は、バルブ本体１０内部に開閉弁１８が配置されるとともに、前記開閉弁１８の開閉を外部操作する弁棒（スピンドル１１参照）が備えられ、前記弁棒（スピンドル１１）がレンチ５にて外部操作されるレンチ式開閉バルブ装置（バルブ装置６参照）であって、前記開閉弁１８の開弁状態と閉弁状態との一方を表示する開閉表示機器７が備えられ、該開閉表示機器７は、前記バルブ装置６のバルブ本体１０に取り付けられる台座２０と、該台座２０の上部に設けられた複数の自転歯車（ピニオンギヤ３０参照）と、前記台座２０の上部外周に設けられ、前記自転歯車（ピニオンギヤ３０）に噛合する回転体側歯車（インターナルギヤ４０Ｇ参照）を有する回転体４０と、前記バルブ装置６の開閉弁１８の開弁状態と閉弁状態との一方を表示する表示部５２を有するとともに、前記弁棒（スピンドル１１）の回転中心ＣＬを中心として回転する表示体側歯車（サンギヤ５０Ｇ参照）を有する回転表示体５０とが備えられ、前記表示体側歯車（サンギヤ５０Ｇ）は前記回転体側歯車（インターナルギヤ４０Ｇ）の歯数と異なる歯数で構成され、前記自転歯車（ピニオンギヤ３０）と噛合する前記回転体側歯車（インターナルギヤ４０Ｇ）と、前記自転歯車（ピニオンギヤ３０）と噛合する前記表示体側歯車（サンギヤ５０Ｇ）と、前記自転歯車（ピニオンギヤ３０）とで、前記回転体４０に対して前記回転表示体５０を差動回転させる差動回転機構８０が構成され、前記回転体４０と一体回転し、かつ前記回転表示体５０の所要部分を外部から目視可能に開口する開口部６６を有すると共に、前記回転表示体５０に被せられ、前記所要部分以外の部分の外部からの視認を規制する視認規制体６０と、前記視認規制体６０の外側全体を回転自在に覆うとともに、少なくとも当該視認規制体６０の前記開口部６６を外側から視認可能に透過する透過カバー体（透明カバー体７０参照）とが設けられ、前記視認規制体６０の中央部６２には、前記弁棒（スピンドル１１）と嵌合し、当該弁棒（スピンドル１１）が上方に貫通可能な孔部６１が開口形成されたものである（図１〜図５参照）ため、レンチ式開閉バルブ装置（バルブ装置６参照）に前記開閉表示機器７が設けられたものであって、視認規制体６０の外周全体を回転自在に覆う透過カバー体（透明カバー体７０）を設けることで、バルブ装置６の開閉弁１８の開弁、閉弁状態が外方から視認できると共に、前記弁棒（スピンドル１１）をレンチ５にて外部操作する際、前記開閉弁１８の開弁、閉弁状態の目視確認することができる。したがって、不用意に開閉弁１８が開弁されることを抑制することができ、また、開閉弁１８が過度に締め付けられることに起因してバルブ装置６が破損することを抑制することができる。
【００５７】
さらに、上記実施例のバルブ付きボンベ容器１は、前記レンチ式開閉バルブ装置（バルブ装置６）がボンベ容器１の上端部に取付けられ、前記ボンベ容器１は、上端が開口するボンベキャップ４を上部に有し、少なくとも前記透過カバー体（透明カバー体７０）および前記視認規制体６０は、前記ボンベキャップ４の前記上部開口（上端開口４ａ参照）より小径に形成されたものである（図１参照）ため、ボンベキャップ４の上部開口（上端開口４ａ）よりも透過カバー体（透明カバー体７０）および視認規制体６０を小径と成したので、これら透過カバー体（透明カバー体７０）、視認規制体６０をボンベキャップ４内に確実に格納することができ、ボンベ容器１におけるバルブ装置６の開閉弁１８の開弁、閉弁状態を外方から容易に視認することができる。
【００５８】
しかも、上端部にバルブ装置６および開閉表示機器７が取付けられた重量物であるボンベ容器１を、斜めにし、容器底部を地面または床面に当接させ、作業者が一方の手で開閉表示機器７の外周を支持し、他方の手でボンベ容器１を回転させて、当該ボンベ容器１を移動させる際、開閉表示機器７の透過カバー体（透明カバー体７０）が回転自在に構成されているので、不用意に開閉弁１８が開弁されたり、開閉弁１８が過度に締め付けられることに起因して、バルブ装置６が破損することを抑制することができる。
【００５９】
また、前記表示部５２は、外周側が低く、内周側が高くなるテーパ状に形成されたものである（図２参照）ため、表示部５２がテーパ状に形成されているので、ボンベ容器１におけるバルブ装置６の開閉弁１８の開弁、閉弁状態を外方から視認する際、真上のみならず、斜め上方からも目視確認することができ、視認性の向上を図ることができる。
【００６０】
図６はバルブ付きボンベ容器の他の実施例を示す要部拡大断面図である。  
図２で示した実施例においては、前記回転表示体５０における表示部５２の外周端が、レンチ式開閉バルブ装置が取付けられたボンベ容器１（図１参照）のボンベキャップ４の上端開口４ａの頂部よりも下方に凹入した構造を示したが、図６に示すこの実施例では、前記表示部５２に外周端が、バルブ装置６が取付けられたボンベ容器１のボンベキャップ４の上端開口４ａの頂部よりも上方に突出するものである。
【００６１】
このように、前記表示部５２がボンベキャップ４の上部開口４ａの頭部より上方に突出しており、当該表示部５２は外周側が低く、内周側が高くなるテーパ状であるから、表示部５２による表示内容（開閉弁の開弁、閉弁状態）を、上方および側方の双方から目視確認することができる。
【００６２】
この発明の構成と、上述の実施例との対応において、  
この発明の開閉弁の弁棒は、実施例のスピンドル１１に対応し、以下同様に、  
自転歯車は、ピニオンギヤ３０に対応し、  
回転体側歯車は、インターナルギヤ４０Ｇに対応し、  
表示体側歯車は、サンギヤ５０Ｇに対応し、  
透過カバー体は、透明カバー体７０に対応し、  
台座に設けられた係止部は、係止爪２７に対応し、  
ボンベキャップの上部開口は、上端開口４ａに対応するも、  
この発明は、上述の実施例の構成のみに限定されるものではない。
【００６３】
例えば、前記実施例においては、バルブ装置６として容器バルブ装置を例示したが、このバルブ装置は配管バルブ装置に適用してもよい。  
また、前記表示部５２の開表示部５２ａ、閉表示部５２ｂにおける表示内容は『開』、『閉』の文字を例示したが、これら文字による表示に、『開』と『閉』とで異なる色を併用してもよい。さらには、『開』と『閉』の表示に代わり、『Ｏ』と『Ｃ』などの英語、ハングル文字など外国語表字やその略字、あるいは記号などを表示してもよい。
【００６４】
さらに、表示部５２による表示領域は、円周上９０度の開角を隔てて、円周上に所定幅をもつそれぞれ４つの領域に設定したが、これは円周上１８０度の開角を隔てて、それぞれ２つの領域に設定してもよく、あるいは、円周上１２０度の開角を隔てて、それぞれ３つの領域に設定してもよい。
【００６５】
さらにまた、差動回転機構８０は、回転表示体５０が相対的に遅く回転する減速機構と成したが、これは回転表示体５０が相対的に速く回転する増速機構であってもよい。  
また、開閉表示機器７はボンベキャップ４の内部に収容されるような態様であってもよい。
【産業上の利用可能性】
【００６６】
以上説明したように、本発明は、バルブ装置の開閉弁における弁棒がレンチにて外部操作されるレンチ式開閉バルブ装置用の開閉表示機器、レンチ式開閉バルブ装置およびバルブ付きボンベ容器について有用である。
【符号の説明】
【００６７】
１…ボンベ容器
４…ボンベキャップ
４ａ…上端開口（上部開口）
５…レンチ
６…バルブ装置
７…開閉表示機器
１０…バルブ本体
１１…スピンドル（弁棒）
１８…開閉弁
２０…台座
２７…係止爪（係止部）
３０…ピニオンギヤ
４０…回転体
４０Ｇ…インターナルギヤ（回転体側歯車）
５０…回転表示体
５０Ｇ…サンギヤ（表示体側歯車）
５２…表示部
６０…視認規制体
６１…孔部
６２…中央部
６６…開口部
７０…透明カバー体（透過カバー体）
８０…差動回転機構
ＣＬ…回転中心
【図１】
2020046007.tif 000003
【図２】
2020046007.tif 000004
【図３】
2020046007.tif 000005
【図４】
2020046007.tif 000006
【図５】
2020046007.tif 000007
【図６】
2020046007.tif 000008